【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
関係性が強いプレイリスト間の数値の差分値ほど小さく、関係性が弱いプレイリスト間の数値の差分値ほど大きくなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、
プレイリストに従ってコンテンツを再生する再生部と、
外部のサーバ装置と通信を行う送受信部と、
前記複数の遷移コマンドの内、一の遷移コマンドを特定する入力を受けると、前記入力を受けたときに前記再生部が使用しているプレイリストに対応する前記プレイリスト構造データが示す数値に、前記入力により特定された遷移コマンドが示す数値を加算または減算し、その加算または減算を行った結果得られる数値に最も近い数値または一致する数値で示されるプレイリストを選出し、前記再生部が行っている再生をその選出したプレイリストに従った再生へと切り替え、前記サーバ装置に記憶されている複数のプレイリスト構造データの内、一のプレイリスト構造データを特定する操作入力がユーザから入力されると、前記一のプレイリスト構造データを要求するメッセージを前記送受信部から前記サーバ装置へ送信させ、前記メッセージの送信の結果、前記サーバ装置から送られてくる前記一のプレイリスト構造データを前記プレイリスト構造データ記憶部に記憶させる制御部と
を備えることを特徴とする端末装置。
【請求項２】
前記制御部は、前記プレイリスト構造データが示す数値に、前記入力により特定された遷移コマンドが示す数値を加算するか減算するかを、ランダムに決定することを特徴とする請求項１記載の端末装置。
【請求項３】
関係性が強いプレイリスト間の数値ほど所定の数値に近くなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、
プレイリストに従ってコンテンツを再生する再生部と、
外部のサーバ装置と通信を行う送受信部と、
前記複数の遷移コマンドの内、一の遷移コマンドを特定する入力を受けると、前記入力を受けたときに前記再生部が使用しているプレイリストとの関係性が、前記入力により特定された遷移コマンドが示す数値に最も近い数値または一致する数値で示されるプレイリストを選出し、前記再生部が行っている再生をその選出したプレイリストに従った再生へと切り替え、前記サーバ装置に記憶されている複数のプレイリスト構造データの内、一のプレイリスト構造データを特定する操作入力がユーザから入力されると、前記一のプレイリスト構造データを要求するメッセージを前記送受信部から前記サーバ装置へ送信させ、前記メッセージの送信の結果、前記サーバ装置から送られてくる前記一のプレイリスト構造データを前記プレイリスト構造データ記憶部に記憶させる制御部と
を備えることを特徴とする端末装置。
【請求項４】
サーバ装置とネットワークを介して接続される端末装置に、インタフェースを介して接続可能な再生装置であって、
関係性が強いプレイリスト間の数値の差分値ほど小さく、関係性が弱いプレイリスト間の数値の差分値ほど大きくなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、
プレイリストに従ってコンテンツを再生する再生部と、
前記端末装置と通信を行うインタフェース制御部と、
前記端末装置によって取得された前記サーバ装置に記憶されている複数のプレイリスト構造データの内の一のプレイリスト構造データを前記インタフェース制御部を介して受信すると、その一のプレイリスト構造データを前記プレイリスト構造データ記憶部に記憶させると共に、前記複数の遷移コマンドの内、一の遷移コマンドを特定する入力を受けると、前記入力を受けたときに前記再生部が使用しているプレイリストに対応する前記プレイリスト構造データが示す数値に、前記入力により特定された遷移コマンドが示す数値を加算または減算し、その加算または減算を行った結果得られる数値に最も近い数値または一致する数値で示されるプレイリストを選出し、前記再生部が行っている再生をその選出したプレイリストに従った再生へと切り替える制御部と
を備えることを特徴とする再生装置。
【請求項５】
前記制御部は、前記プレイリスト構造データが示す数値に、前記入力により特定された遷移コマンドが示す数値を加算するか減算するかを、ランダムに決定することを特徴とする請求項４記載の再生装置。
【請求項６】
サーバ装置とネットワークを介して接続される端末装置に、インタフェースを介して接続可能な再生装置であって、
関係性の強いプレイリスト間の数値ほど所定の数値に近くなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、
プレイリストに従ってコンテンツを再生する再生部と、
前記端末装置と通信を行うインタフェース制御部と、
前記端末装置によって取得された前記サーバ装置に記憶されている複数のプレイリスト構造データの内の一のプレイリスト構造データを前記インタフェース制御部を介して受信すると、その一のプレイリスト構造データを前記プレイリスト構造データ記憶部に記憶させると共に、前記複数の遷移コマンドの内、一の遷移コマンドを特定する入力を受けると、前記入力を受けたときに前記再生部が使用しているプレイリストとの関係性が、前記入力により特定された遷移コマンドが示す数値に最も近い数値または一致する数値で示されるプレイリストを選出し、前記再生部が行っている再生をその選出したプレイリストに従った再生へと切り替える制御部と
を備えることを特徴とする再生装置。
【請求項７】
端末装置にコンテンツをストリーム再生させるための複数のプレイリストを格納するプレイリスト格納部と、
前記複数のプレイリストのそれぞれを関係性が強いプレイリスト間の数値の差分値ほど小さく、関係性が弱いプレイリスト間の数値の差分値ほど大きくなるような数値によって表したプレイリスト構造データと、プレイリストを変更  するための数値を示す複数の遷移コマンドから成る遷移コマンドデータとを格納するプレイリスト構造格納部と、
前記複数の遷移コマンドの内、一の遷移コマンドを特定する入力を前記端末装置から受けると、前記入力を受けたときに前記端末装置のストリーム再生に用いているプレイリストに対応する前記プレイリスト構造データが示す数値に、前記入力により特定された遷移コマンドが示す数値を加算または減算し、その加算又は減算を行った結果得られる数値に最も近い数値または一致する数値で示されるプレイリストを選出し、前記端末装置が行うストリーム再生をその選出したプレイリストに従ったストリーム再生へと切り替える制御部と
を備えることを特徴とするサーバ装置。
【請求項８】
前記制御部は、前記プレイリスト構造データが示す数値に、前記入力により特定された遷移コマンドが示す数値を加算するか減算するかを、ランダムに決定することを特徴とする請求項７記載のサーバ装置。
【請求項９】
端末装置にコンテンツをストリーム再生させるための複数のプレイリストを格納するプレイリスト格納部と、
前記複数のプレイリストのそれぞれを関係性の強いプレイリスト間の数値ほど所定の数値に近くなるような数値によって表したプレイリスト構造データと、プレイリストを変更するための数値を示す複数の遷移コマンドから成る遷移コマンドデータとを格納するプレイリスト構造格納部と、
前記複数の遷移コマンドの内、一の遷移コマンドを特定する入力を前記端末装置から受けると、前記入力を受けたときに前記端末装置のストリーム再生に用いているプレイリストとの関係性が、前記入力により特定された遷移コマンドが示す数値に最も近い数値または一致する数値で示されるプレイリストを選出し、前記端末装置が行うストリーム再生をその選出したプレイリストに従ったストリーム再生へと切り替える制御部と
を備えることを特徴とするサーバ装置。
【手続補正２】
【補正対象書類名】明細書
【補正対象項目名】０００８
【補正方法】変更
【補正の内容】
【０００８】
本発明は上述した従来の技術の課題を解決するため、関係性が強いプレイリスト間の数値の差分値ほど小さく、関係性が弱いプレイリスト間の数値の差分値ほど大きくなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、プレイリストに従ってコンテンツを再生する再生部と、外部のサーバ装置と通信を行う送受信部と、前記複数の遷移コマンドの内、一の遷移コマンドを特定する入力を受けると、前記入力を受けたときに前記再生部が使用しているプレイリストに対応する前記プレイリスト構造データが示す数値に、前記入力により特定された遷移コマンドが示す数値を加算または減算し、その加算または減算を行った結果得られる数値に最も近い数値または一致する数値で示されるプレイリストを選出し、前記再生部が行っている再生をその選出したプレイリストに従った再生へと切り替え、前記サーバ装置に記憶されている複数のプレイリスト構造データの内、一のプレイリスト構造データを特定する操作入力がユーザから入力されると、前記一のプレイリスト構造データを要求するメッセージを前記送受信部から前記サーバ装置へ送信させ、前記メッセージの送信の結果、前記サーバ装置から送られてくる前記一のプレイリスト構造データを前記プレイリスト構造データ記憶部に記憶させる制御部とを備えることを特徴とする端末装置を提供する。
また、本発明は上述した従来の技術の課題を解決するため、関係性が強いプレイリスト間の数値ほど所定の数値に近くなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、プレイリストに従ってコンテンツを再生する再生部と、外部のサーバ装置と通信を行う送受信部と、前記複数の遷移コマンドの内、一の遷移コマンドを特定する入力を受けると、前記入力を受けたときに前記再生部が使用しているプレイリストとの関係性が、前記入力により特定された遷移コマンドが示す数値に最も近い数値または一致する数値で示されるプレイリストを選出し、前記再生部が行っている再生をその選出したプレイリストに従った再生へと切り替え、前記サーバ装置に記憶されている複数のプレイリスト構造データの内、一のプレイリスト構造データを特定する操作入力がユーザから入力されると、前記一のプレイリスト構造データを要求するメッセージを前記送受信部から前記サーバ装置へ送信させ、前記メッセージの送信の結果、前記サーバ装置から送られてくる前記一のプレイリスト構造データを前記プレイリスト構造データ記憶部に記憶させる制御部とを備えることを特徴とする端末装置を提供する。
また、本発明は上述した従来の技術の課題を解決するため、サーバ装置とネットワークを介して接続される端末装置に、インタフェースを介して接続可能な再生装置であって、関係性が強いプレイリスト間の数値の差分値ほど小さく、関係性が弱いプレイリスト間の数値の差分値ほど大きくなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、プレイリストに従ってコンテンツを再生する再生部と、前記端末装置と通信を行うインタフェース制御部と、前記端末装置によって取得された前記サーバ装置に記憶されている複数のプレイリスト構造データの内の一のプレイリスト構造データを前記インタフェース制御部を介して受信すると、その一のプレイリスト構造データを前記プレイリスト構造データ記憶部に記憶させると共に、前記複数の遷移コマンドの内、一の遷移コマンドを特定する入力を受けると、前記入力を受けたときに前記再生部が使用しているプレイリストに対応する前記プレイリスト構造データが示す数値に、前記入力により特定された遷移コマンドが示す数値を加算または減算し、その加算または減算を行った結果得られる数値に最も近い数値または一致する数値で示されるプレイリストを選出し、前記再生部が行っている再生をその選出したプレイリストに従った再生へと切り替える制御部とを備えることを特徴とする再生装置を提供する。
また、本発明は上述した従来の技術の課題を解決するため、サーバ装置とネットワークを介して接続される端末装置に、インタフェースを介して接続可能な再生装置であって、関係性の強いプレイリスト間の数値ほど所定の数値に近くなるような数値によってそれぞれ表された複数のプレイリストからなるプレイリスト構造データと、プレイリストを変更するための数値を示す複数の遷移コマンドからなる遷移コマンドデータとを記憶するプレイリスト構造データ記憶部と、プレイリストに従ってコンテンツを再生する再生部と、前記端末装置と通信を行うインタフェース制御部と、前記端末装置によって取得された前記サーバ装置に記憶されている複数のプレイリスト構造データの内の一のプレイリスト構造データを前記インタフェース制御部を介して受信すると、その一のプレイリスト構造データを前記プレイリスト構造データ記憶部に記憶させると共に、前記複数の遷移コマンドの内、一の遷移コマンドを特定する入力を受けると、前記入力を受けたときに前記再生部が使用しているプレイリストとの関係性が、前記入力により特定された遷移コマンドが示す数値に最も近い数値または一致する数値で示されるプレイリストを選出し、前記再生部が行っている再生をその選出したプレイリストに従った再生へと切り替える制御部とを備えることを特徴とする再生装置を提供する。
また、本発明は上述した従来の技術の課題を解決するため、端末装置にコンテンツをストリーム再生させるための複数のプレイリストを格納するプレイリスト格納部と、前記複数のプレイリストのそれぞれを関係性が強いプレイリスト間の数値の差分値ほど小さく、関係性が弱いプレイリスト間の数値の差分値ほど大きくなるような数値によって表したプレイリスト構造データと、プレイリストを変更  するための数値を示す複数の遷移コマンドから成る遷移コマンドデータとを格納するプレイリスト構造格納部と、前記複数の遷移コマンドの内、一の遷移コマンドを特定する入力を前記端末装置から受けると、前記入力を受けたときに前記端末装置のストリーム再生に用いているプレイリストに対応する前記プレイリスト構造データが示す数値に、前記入力により特定された遷移コマンドが示す数値を加算または減算し、その加算又は減算を行った結果得られる数値に最も近い数値または一致する数値で示されるプレイリストを選出し、前記端末装置が行うストリーム再生をその選出したプレイリストに従ったストリーム再生へと切り替える制御部とを備えることを特徴とするサーバ装置を提供する。
また、本発明は上述した従来の技術の課題を解決するため、端末装置にコンテンツをストリーム再生させるための複数のプレイリストを格納するプレイリスト格納部と、前記複数のプレイリストのそれぞれを関係性の強いプレイリスト間の数値ほど所定の数値に近くなるような数値によって表したプレイリスト構造データと、プレイリストを変更するための数値を示す複数の遷移コマンドから成る遷移コマンドデータとを格納するプレイリスト構造格納部と、前記複数の遷移コマンドの内、一の遷移コマンドを特定する入力を前記端末装置から受けると、前記入力を受けたときに前記端末装置のストリーム再生に用いているプレイリストとの関係性が、前記入力により特定された遷移コマンドが示す数値に最も近い数値または一致する数値で示されるプレイリストを選出し、前記端末装置が行うストリーム再生をその選出したプレイリストに従ったストリーム再生へと切り替える制御部とを備えることを特徴とするサーバ装置を提供する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】